(57)【要約】【課題】ＬＣＤサポートフレーム構造の張力巻片が、時間の経過及び使用時の不注意によっても断裂し難く、スピーディーな組立が可能で、軽量でコンパクトなボディーとコストの低下が可能なＬＣＤ可動サポートフレーム構造を提供する。【解決手段】  主に可動フレーム、サポートフレーム、張力巻片から構成され、可動フレームは該サポートフレーム中に収容設置され、その内部には一個或いは一個以上の係合フックを設置し、内部両側の側壁には相互に対応するスライド槽を設置し、サポートフレームは可動フレームにより収容接続され、該内部両側の側壁には相互に対応する貫通孔を設置し、張力巻片はその一端に一個或いは一個以上の凹接部を設置し、凹接部と該可動フレーム内部一端に設置する一個或いは一個以上の係合フックと係合接続し、反対端には該スライド槽、該サポートフレームの貫通孔と相互対応する中空軸心を設置するＬＣＤ可動サポートフレーム構造。【選択図】  図４
0003111934.tif 000002
【実用新案登録請求の範囲】
【請求項１】
主に可動フレーム、サポートフレーム、張力巻片からなり、
前記可動フレームは該サポートフレーム中に収容設置され、その内部には一個或いは一個以上の係合フックを設置し、該内部両側の側壁には相互に対応するスライド槽を設置し、
前記サポートフレームは該可動フレームにより収容接続され、該内部両側の側壁には相互に対応する貫通孔を設置し、
前記張力巻片はその一端に一個或いは一個以上の凹接部を設置し、
該凹接部と該可動フレーム内部一端に設置する一個或いは一個以上の係合フックと係合接続し、反対端には該スライド槽、該サポートフレームの貫通孔と相互対応する中空軸心を設置することを特徴とするＬＣＤ可動サポートフレーム構造。
【請求項２】
前記可動フレームは一個或いは一個以上のスライドレールを設置することを特徴とする請求項１記載のＬＣＤ可動サポートフレーム構造。
【請求項３】
前記可動フレーム一端には一個或いは一個以上の設置器定位孔を設置することを特徴とする請求項１記載のＬＣＤ可動サポートフレーム構造。
【請求項４】
前記サポートフレーム一端には一個或いは一個以上の結合部を設置することを特徴とする請求項１記載のＬＣＤ可動サポートフレーム構造。
【請求項５】
前記サポートフレームの外壁の一ヶ所には二個或いは二個以上の定位孔を設置することを特徴とする請求項１記載のＬＣＤ可動サポートフレーム構造。
【請求項６】
前記張力巻片は内部が中空軸心を呈する回転動弾力片であることを特徴とする請求項１記載のＬＣＤ可動サポートフレーム構造。
【請求項７】
前記ＬＣＤ可動サポートフレーム構造はサポートフレーム片を設置し、該サポートフレーム片一端には結合部を設置し、二個或いは二個以上の定位部品を通して、該サポートフレーム片を該サポートフレームの外壁に設置する二個或いは二個以上の定位孔に軸接続することを特徴とする請求項１記載のＬＣＤ可動サポートフレーム構造。
【考案の詳細な説明】
【技術分野】
【０００１】
本考案は一種のＬＣＤ可動サポートフレーム構造に関する。特に、パネルを調節、安定させるＬＣＤ可動サポートフレーム構造に係る。
【背景技術】
【０００２】
従来公知のＬＣＤサポートフレーム構造（例えば、特許文献１）は、図１に示すように、ＬＣＤサポートフレーム１の左右が対応する内軸１１と、一端が左右が対応する外軸１２の一端と接続し、しかも該内軸１１と該外軸１２の接続位置には軸接続する器１４を設置し、二個或いは二個以上の軸接続する器定位部品１４３を使用し、該内軸１１と該外軸１２を一体に軸接続する。該軸接続する器１４には張力転盤定位部品１４４を設置し、該張力転盤１４１を該軸接続する器１４の内部に設置し、該内軸１１とほぞ接続する（図示なし）。これにより、該張力転盤１４１は延接線１４２の一端により巻設され、該延接線１４２の反対端とバネ１２１の一端は接続する。
こうして元々は、バネ定位部品１２３により該外軸底枠１２２内に固設されていたバネ１２１は伸張し、逆方向の張力を生じる。該内軸１１が設置するパネル設置器１３にパネル１３１を設置し、或いは外力を受け、該内軸１１が力により該外軸１２方向へと滑移動すると、該張力転盤１４１の回転動を連動する。しかも該張力転盤１４１の回転動により、該延接線１４２は巻き取られると、同時に該バネ１２１を引っ張り、該公知のＬＣＤサポートフレーム１は逆方向の弾力を生じ、調節、固定などの動きを行う。
【０００３】
しかし、該従来公知のＬＣＤサポートフレーム１は、該延接線１４２両端よりそれぞれ該コイルバネ１２１、該張力転盤１４１を接続するため、しばしば時間と共に、及び使用の不注意により該延接線１４２の老朽化を招き、突然断裂するなどの状況が起こり、高価なパネル１３１を損壊してしまうことがある。また、従来公知のＬＣＤサポートフレーム１を、より重量のあるパネル１３１に使用する時には、該公知のＬＣＤサポートフレーム１の関連定位部品は取り外した後、分解、交換作業を行う必要がある。しかもその内部の交換部品は手に入り難く、新たに設計する必要が出て来るなど時間と労力を浪費する問題も発生する。
【特許文献１】特開２００３−２９５１６１号公報
【考案の開示】
【考案が解決しようとする課題】
【０００４】
上述した従来公知のＬＣＤサポートフレーム構造には以下の問題点があった。
すなわち、従来公知構造の延接線は時間の経過及び使用時の不注意により断裂し易く、交換用部品が手に入り難く、組立てに時間と労力がかかり、体積がむやみに大きく、コストが高くなるといった問題点があった。
本考案は上記構造の問題点に鑑みてなされたもので、ＬＣＤサポートフレーム構造の張力巻片が、時間の経過及び使用時の不注意によっても断裂し難く、スピーディーな組立が可能で、軽量でコンパクトなボディーとコストの低下が可能であるＬＣＤ可動サポートフレーム構造を提供するものである。
【課題を解決するための手段】
【０００５】
上記課題を解決するため、本考案は下記のＬＣＤ可動サポートフレーム構造を提供する。
それは主にサポートフレーム、可動フレームを含み、該サポートフレーム一端には一個或いは一個以上の結合部を設置し、しかも該サポートフレーム両側の側壁には相互に対応する貫通孔を設置し、これによりスライドレールを具える可動フレームはその中にスライド設置され、該可動フレームは一個或いは一個以上のスライドレールを設置し、該可動フレーム内部の一端には一個或いは一個以上の係合フックを設置し、該係合フックは内部が中空軸心を呈する張力巻片一端と係合接続し、また該可動フレーム両側の側壁には相互に対応するスライド槽を設置し、該スライド槽は該サポートフレームの貫通孔、該張力巻片の中空軸心と相互に対応し、しかも該張力巻片定位部品により一体に挿入設置され、こうして該可動フレーム反対端の設置器がパネルを設置し、また外力を受け、該可動フレームを下方へとスライド移動させる時、一端が該係合フックと係合接続する張力巻片を連動し、該張力巻片が下方へと伸張することにより生じる逆方向の弾力により、液晶パネルの重量と相互に固定作用を生じ、パネルを調節、安定させる目的を達成することを特徴とするＬＣＤ可動サポートフレーム構造である。
【０００６】
すなわち、請求項１の考案は、主に可動フレーム、サポートフレーム、張力巻片からなり、前記可動フレームは該サポートフレーム中に収容設置され、その内部には一個或いは一個以上の係合フックを設置し、該内部両側の側壁には相互に対応するスライド槽を設置し、前記サポートフレームは該可動フレームにより収容接続され、該内部両側の側壁には相互に対応する貫通孔を設置し、前記張力巻片はその一端に一個或いは一個以上の凹接部を設置し、該凹接部と該可動フレーム内部一端に設置する一個或いは一個以上の係合フックと係合接続し、反対端には該スライド槽、該サポートフレームの貫通孔と相互対応する中空軸心を設置することを特徴とするＬＣＤ可動サポートフレーム構造である。
請求項２の考案は、前記可動フレームは一個或いは一個以上のスライドレールを設置することを特徴とする請求項１記載のＬＣＤ可動サポートフレーム構造である。
請求項３の考案は、前記可動フレーム一端には一個或いは一個以上の設置器定位孔を設置することを特徴とする請求項１記載のＬＣＤ可動サポートフレーム構造である。
請求項４の考案は、前記サポートフレーム一端には一個或いは一個以上の結合部を設置することを特徴とする請求項１記載のＬＣＤ可動サポートフレーム構造である。
請求項５の考案は、前記サポートフレームの外壁の一ヶ所には二個或いは二個以上の定位孔を設置することを特徴とする請求項１記載のＬＣＤ可動サポートフレーム構造である。
請求項６の考案は、前記張力巻片は内部が中空軸心を呈する回転動弾力片であることを特徴とする請求項１記載のＬＣＤ可動サポートフレーム構造である。
請求項７の考案は、前記ＬＣＤ可動サポートフレーム構造はサポートフレーム片を設置し、該サポートフレーム片一端には結合部を設置し、二個或いは二個以上の定位部品を通して、該サポートフレーム片を該サポートフレームの外壁に設置する二個或いは二個以上の定位孔に軸接続することを特徴とする請求項１記載のＬＣＤ可動サポートフレーム構造である。
【考案の効果】
【０００７】
上記のように、本考案のＬＣＤサポートフレーム構造によれば、張力巻片は時間の経過及び使用時の不注意によっても断裂し難く、交換のための部品が手に入り易い。また便利でスピーディーな組立てを提供可能で、軽量でコンパクトなボディーとコストの低下を実現することができる。
【考案を実施するための最良の形態】
【０００８】
本考案のＬＣＤサポートフレーム構造の好適な実施例を図に沿って説明する。
図２、３、４に示すように、本考案の実施例のＬＣＤ可動サポートフレーム構造は可動フレーム２１、サポートフレーム２２から構成されている。
前記可動フレーム２１は、一個或いは一個以上のスライドレール２１３を設置し、該スライドレール２１３は一端から反対端に延伸し、これによりサポートフレーム２２の一端と接続する時、その内部にスライド設置される。
また、該可動フレーム２１の一端には、一個或いは一個以上の設置器定位孔２１４を開設し、反対端内部には一個或いは一個以上の係合フック２１２を設置し、該係合フック２１２は張力巻片２３一端に設置する一個或いは一個以上の凹接部２３２と係合接続する。該張力巻片２３は内部が中空軸心２３３を呈する回転動弾力片で、該可動フレーム２１両側の側壁２１５には相互に対応するスライド槽２１１を設置する。
該可動フレーム２１と該サポートフレーム２２を一体に接続する時、該スライド槽２１１は該張力巻片２３の中空軸心２３３、該サポートフレーム２２の貫通孔２２１と相互に対応し、しかも該張力巻片２３の張力巻片定位部品２３１により一体に挿入設置される。
【０００９】
前記サポートフレーム一端２２は、該スライドレール２１３を具える可動フレーム２１一端を収容、接続する時、その中にスライド設置され、しかも該サポートフレーム２２両側の側壁２２４には相互に対応する貫通孔２２１を設置する。該貫通孔２２１は該可動フレーム２１のスライド槽２１１、張力巻片２３の中空軸心２３３と相互に対応し、該張力巻片２３の張力巻片定位部品２３１により一体に挿入設置される。さらに該サポートフレーム２２一端には一個或いは一個以上の結合部２２２を設置し、しかも該サポートフレーム２２外壁２２５の一ヶ所には二個或いは二個以上の定位孔２２３を設置する。これにより、二個或いは二個以上の定位部品２４２を通して、その一端には結合部２４１のサポートフレーム片２４を設置し、該サポートフレーム２２外壁２２５に設置する定位孔２２３と一体に軸設置する。
【００１０】
次に図２、３、５、６に示すように、該可動フレーム２１のスライド槽２１１を通して、該張力巻片２３の中空軸心２３３は相互に対応し、該張力巻片２３の張力巻片定位部品２３１により一体に挿入設置される時、該可動フレーム２１と該サポートフレーム２２は一体に接続される。また該可動フレーム２１と該サポートフレーム２２にはそれぞれ質感を具えた外カバー４、台カバー５を被せ、該可動フレーム２１の一端は一個或いは一個以上の設置器定位部品３２を利用し、液晶パネル３１と軸接続する設置器３を、該可動フレーム２１に設置する設置器定位孔２１４において軸設置する。
こうして、該液晶パネル３１の高さを調整すると同時に、該可動フレーム２１を下方へとスライド移動させ、さらに一端が該係合フック２１２と係合接続する張力巻片２３の伸張を連動する。しかも、該液晶パネル３１の高度位置調整が完成すると、該張力巻片２３が下方へと伸張し生じる逆方向の弾力（巻取り方向の力）は、該液晶パネル３１の重量と相互に固定作用を生じ、該液晶パネル３１は必要な高度に調整後、固定される。
【００１１】
また、本実施例のＬＣＤサポートフレーム構造は、張力巻片２３が板状であるので、時間の経過及び使用時の不注意によっても断裂し難く、スピーディーな組立が可能で張力巻片は時間の経過及び使用時の不注意によっても断裂し難く、交換のための部品が手に入り易い。更に、可動フレーム２１と該サポートフレーム２２を一体に接続する時、スライド槽２１１は該張力巻片２３の中空軸心２３３、該サポートフレーム２２の貫通孔２２１と相互に対応し、しかも該張力巻片２３の張力巻片定位部品２３１により一体に挿入設置されるので、スピーディーな組立てが提供可能となり、軽量でコンパクトなボディーと相俟ってコストを安価にすることが可能である。
なお、本考案の特徴を損なうものでなければ、前記実施例に限定されないことは勿論である。
【図面の簡単な説明】
【００１２】
【図１】従来公知の液晶パネルサポートフレームの指示図である。
【図２】本考案の実施例の分解図である。
【図３】本考案の実施例の部分組み立て図である。
【図４】本考案の実施例の組み立てた斜視図である。
【図５】本考案の実施例の動作前の状態図である。
【図６】本考案の実施例の動作後の状態図である。
【符号の説明】
【００１３】
１ 従来公知のＬＣＤサポートフレーム
１１  内軸
１２  外軸
１２１  バネ
１２２   外軸底枠
１２３  バネ定位部品
１３  パネル設置器
１３１  パネル
１４  軸接続する器
１４１   張力転盤
１４２   延接線
１４３   軸接続する器定位部品
１４４   張力転盤定位部品
２１  可動フレーム
２１１   スライド槽
２１２   係合フック
２１３   スライドレール
２１４   設置器定位孔
２１５   側壁
２２  サポートフレーム
２２１   貫通孔
２２２   結合部
２２３   定位孔
２２４   側壁
２２５   外壁
２３  張力巻片
２３１   張力巻片定位部品
２３２   凹接部
２３３   中空軸心
２４  サポートフレーム片
２４１   結合部
２４２   定位部品
３  設置器
３１  液晶パネル
３２  設置器定位部品
４  外カバー  
５  台カバー
【図１】
0003111934.tif 000003
【図２】
0003111934.tif 000004
【図３】
0003111934.tif 000005
【図４】
0003111934.tif 000006
【図５】
0003111934.tif 000007
【図６】
0003111934.tif 000008